(57)【要約】【課題】従来に無い全く新しい地上子を提供すること。【解決手段】合成まくらぎ一体型地上子１は、合成まくらぎ用材料で形成された合成まくらぎ部１１と、合成まくらぎ部１１の上部の左右レール設置位置間に取り付けられ、少なくとも上面視におけるレール３，３方向の長さＷが合成まくらぎ部以下の大きさの平板状の変周式又は共振式の地上子１３と、を備える。合成まくらぎ一体型地上子１は、合成まくらぎ部１１が、上部が地上子１３を取り付けるための凹部形状を成し、合成まくらぎ部１１の上面と地上子１３の上面との境界が無段差状に構成される。【選択図】図２
2018167616.tif 000002
【特許請求の範囲】
【請求項１】
合成まくらぎ用材料で形成された合成まくらぎ部と、
前記合成まくらぎ部の上部の左右レール設置位置間に取り付けられ、少なくとも上面視におけるレール方向の長さが前記合成まくらぎ部以下の大きさの平板状の変周式又は共振式の地上子と、
を備えた合成まくらぎ一体型地上子。
【請求項２】
前記地上子は、車上子からの電磁波と電磁結合するためのコイルの導体パターンが印刷された基板部を内蔵する、
請求項１に記載の合成まくらぎ一体型地上子。
【請求項３】
前記地上子は、厚さが３ｃｍ以下である、
請求項１又は２に記載の合成まくらぎ一体型地上子。
【請求項４】
前記合成まくらぎ部は、上部が前記地上子を取り付けるための凹部形状を成し、
前記合成まくらぎ部の上面と前記地上子の上面との境界が無段差状に構成された、
請求項１〜３の何れか一項に記載の合成まくらぎ一体型地上子。
【請求項５】
前記地上子は、前記合成まくらぎ部に貼付されることで取り付けられた、
請求項１〜４の何れか一項に記載の合成まくらぎ一体型地上子。
【請求項６】
前記合成まくらぎ部は、長尺状の基体部と、前記基体部の左端側および右端側の上面に貼付された一組の上面構成体とを有し、
前記地上子は、前記一組の上面構成体の間であって前記基体部の上面に貼付されることで取り付けられ、
前記上面構成体の上面と前記地上子の上面との境界が無段差状に構成された、
請求項１〜３の何れか一項に記載の合成まくらぎ一体型地上子。
【請求項７】
前記地上子は、少なくとも３０年の設計寿命を有するように設計された、
請求項１〜６の何れか一項に記載の合成まくらぎ一体型地上子。
【発明の詳細な説明】
【技術分野】
【０００１】
本発明は、合成まくらぎ一体型地上子に関する。
【背景技術】
【０００２】
従来から、変周式の地上子を地上側に設置し、車上側で地上子を検知することによって、列車の停止制御や速度制御等を行う技術が知られている（例えば特許文献１を参照）。
【先行技術文献】
【特許文献】
【０００３】
【特許文献１】特開２０１１−０３１８１６号公報
【発明の概要】
【発明が解決しようとする課題】
【０００４】
ところで、従来の地上子は、その設置に専用の取り付け金具が必要であり、また、保線作業に際して障害物となる等、取り扱いに不便な面があった。そこで本発明は、施工上や保守面での取り扱いが容易な、従来に無い全く新しい地上子を提供することを目的として考案されたものである。
【課題を解決するための手段】
【０００５】
上記課題を解決するための第１の発明は、
合成まくらぎ用材料で形成された合成まくらぎ部と、
前記合成まくらぎ部の上部の左右レール設置位置間に取り付けられ、少なくとも上面視におけるレール方向の長さが前記合成まくらぎ部以下の大きさの平板状の変周式又は共振式の地上子と、
を備えた合成まくらぎ一体型地上子である。
【０００６】
ここで述べる共振式とは、変周式の応用方式である。変周式が、発振周波数を変化させる方式であるの対して、共振式は、地上子側に送信された複数の周波数のうちの共振周波数の振幅を大きくさせる方式（例えば、スペクトラム拡散方式や、新変周式とも称される方式）のことを指す。広義においては、共振式も変周式に含めることができると考えるが、変周式を狭義と解釈されることをおそれ、念のため、別用語として記載したものである。
【０００７】
第１の発明によれば、少なくとも上面視におけるレール方向に沿う長さが合成まくらぎ部以下の大きさの変周式又は共振式の地上子を、合成まくらぎ部の上部の左右レール設置位置間において備えた、合成まくらぎ部と一体の地上子を実現できる。これによれば、地上子と一体化された合成まくらぎの設置によって、地上側に地上子を設置することができる。また、地上子のレール方向に沿う長さが合成まくらぎ部以下とされることから、保線作業等において作業員の足元の障害物となり難い。また、地上子とまくらぎとが一体となっているため、地上子とまくらぎとを別々に管理する際の設備点数を削減したり、管理の手間を省略化するといったことが可能となる。したがって、施工上や保守面での取り扱いが容易な従来に無い全く新しい地上子を提供できる。
【０００８】
また、第２の発明は、第１の発明において、
前記地上子は、車上子からの電磁波と電磁結合するためのコイルの導体パターンが印刷された基板部を内蔵する、
合成まくらぎ一体型地上子である。
【０００９】
第２の発明によれば、地上子を薄型化でき、全体を軽量化できる。したがって、当該合成まくらぎ一体型地上子の設置に係る取り扱いの容易性をより高めることができる。また、コイルを導体パターンの印刷による基板部として構成することにより、地上子の製造バラツキを抑えて、高品質かつ高寿命な地上子を実現することができる。
【００１０】
また、第３の発明は、第１又は第２の発明において、
前記地上子は、厚さが３ｃｍ以下である、
合成まくらぎ一体型地上子である。
【００１１】
第３の発明によれば、地上子の厚さを３ｃｍ以下とすることができる。
【００１２】
また、第４の発明は、第１〜第３の何れかの発明において、
前記合成まくらぎ部は、上部が前記地上子を取り付けるための凹部形状を成し、
前記合成まくらぎ部の上面と前記地上子の上面との境界が無段差状に構成された、
合成まくらぎ一体型地上子である。
【００１３】
第４の発明によれば、合成まくらぎ部の上部の凹部形状部分に地上子を取り付けることで、合成まくらぎ部の上面と地上子の上面との境界を無段差状に構成できる。
【００１４】
また、第５の発明は、第１〜第４の何れかの発明において、
前記地上子は、前記合成まくらぎ部に貼付されることで取り付けられた、
合成まくらぎ一体型地上子である。
【００１５】
第５の発明によれば、地上子を取り付ける金具等が不要となる。これにより、合成まくらぎ一体型地上子の製造の手間の軽減や、合成まくらぎ一体型地上子全体の重量軽減を実現できる。
【００１６】
また、第６の発明は、第１〜第３の何れかの発明において、
前記合成まくらぎ部は、長尺状の基体部と、前記基体部の左端側および右端側の上面に貼付された一組の上面構成体とを有し、
前記地上子は、前記一組の上面構成体の間であって前記基体部の上面に貼付されることで取り付けられ、
前記上面構成体の上面と前記地上子の上面との境界が無段差状に構成された、
合成まくらぎ一体型地上子である。
【００１７】
第６の発明によれば、基体部上面の左右両端側に一組の上面構成体を貼付して合成まくらぎ部を作製し、上面構成体の間であって基体部の上面に地上子を取り付けることで、合成まくらぎ部の上面と地上子の上面との境界を無段差状に構成できる。複雑な加工を必要とせず比較的簡単に、合成まくらぎ一体型地上子を構成することができる。
【００１８】
また、第７の発明は、第１〜第６の何れかの発明において、
前記地上子は、少なくとも３０年の設計寿命を有するように設計された、
合成まくらぎ一体型地上子である。
【００１９】
合成まくらぎ用材料で形成されたいわゆる「合成まくらぎ」は、耐久性に優れ、長い交換寿命を有する。したがって、第７の発明によれば、長寿命である合成まくらぎ部に、少なくとも３０年の設計寿命を有する地上子を取り付けて合成まくらぎ一体型地上子を構成できる。これによれば、当該合成まくらぎ一体型地上子を、まくらぎおよび地上子として長期間メンテナンスを必要とせずに使用することができる。
【図面の簡単な説明】
【００２０】
【図１】合成まくらぎ一体型地上子を設置した軌道の概略を示す図。
【図２】合成まくらぎ一体型地上子の構成例を示す図。
【図３】合成まくらぎ一体型地上子の構成例を示す他の図。
【発明を実施するための形態】
【００２１】
以下、図面を参照して、本発明の好適な実施形態について説明する。なお、以下説明する実施形態によって本発明が限定されるものではなく、本発明を適用可能な形態が以下の実施形態に限定されるものでもない。また、図面の記載において、同一部分には同一の符号を付す。
【００２２】
図１は、本実施形態における合成まくらぎ一体型地上子１を設置した軌道の概略を示す斜視図である。本実施形態の合成まくらぎ一体型地上子１は、短軸断面が長方形又は正方形である角柱形状を有し、バラスト（砕石や砂利）に一部が埋設されてまくらぎ（合成まくらぎ）として使用される。例えば、図１に示すように、合成まくらぎ一体型地上子１は、所定の間隔をあけて軌道に沿って設置され、上面の左右両端部（レール設置位置）で一対のレール３，３を支持する。この合成まくらぎ一体型地上子１は、合成まくらぎ部１１と、地上子１３とを備え、合成まくらぎ部１１の上部に地上子１３が一体的に取り付けられて構成される。
【００２３】
図２および図３は、１つの合成まくらぎ一体型地上子１の構成例を示す斜視図である。図２では、合成まくらぎ部１１と地上子１３とが分離した状態を示し、図３では、合成まくらぎ部１１に地上子１３が取り付けられた状態を示している。
【００２４】
地上子１３は、外形形状が平板状を有する変周式又は共振式の地上子であり、車上子からの電磁波と電磁結合するためのコイルの導体パターンが印刷された基板部１３１を内蔵する。例えば変周式を採用する場合であれば、車上装置は、車体に設けられた車上子が地上子１３と接近したときに当該地上子１３と電磁結合し、車上子の共振周波数が変化することを利用して列車が地上子１３の設置位置を通過したこと等を検知する。共振式は、車上子から送信された複数の周波数のうちの共振周波数の振幅を大きくさせる方式であり、例えば、スペクトラム拡散方式や新変周式とも称される。広義においては、共振式も変周式に含めることができると考えるが、変周式を狭義と解釈される場合のため、念のため、ここでは別用語としたものである。
【００２５】
なお、図１では、地上子１３を備えた合成まくらぎ一体型地上子１を並べて設置した様子を図示したが、全てのまくらぎを合成まくらぎ一体型地上子１とする必要はなく、例えば所定数個おきに合成まくらぎ一体型地上子１を設置し、それ以外は従来の合成まくらぎ等を用いるとしてもよい。また、配置される合成まくらぎ一体型地上子１の共振周波数が、軌道に沿った順に複数の共振周波数が巡回するように合成まくらぎ一体型地上子１を配置する等、共振周波数と、設置される合成まくらぎ一体型地上子１との関係は任意に設定することができる。
【００２６】
地上子１３は、共振周波数を複数の異なる周波数の中から切り替え可能な構成としてもよいし、共振周波数が固定の地上子１３を共振周波数違いで複数種類用意することとしてもよい。
【００２７】
この地上子１３は、少なくともレール３，３の方向に沿う外殻の長さ（幅）Ｗが、合成まくらぎ部１１以下の大きさに設計される。本実施形態では、当該レール３，３の方向に沿う長さＷは、合成まくらぎ部１１の幅（基体部１１１および一組の上面構成体１１３，１１３の幅）である規定幅Ｗ１と同じ長さに規定される。また、地上子１３の外殻は、合成まくらぎ部１１と同様の合成まくらぎ用材料で形成することができ、地上子１３の厚さＴは３ｃｍ以下とされる。
【００２８】
合成まくらぎ部１１は、ガラス長繊維で補強された樹脂発泡体（繊維強化樹脂）を素材とする合成まくらぎ用材料で形成されており、レール３，３が設置される上部左右のレール設置位置間において、地上子１３を取り付けるための凹部１２を有する。凹部１２は、当該合成まくらぎ用材料の板状体を組み合わせることで設けられる。すなわち、合成まくらぎ部１１は、まくらぎのサイズとして規定される規定幅Ｗ１および規定長さＬ１に成形された長尺状の基体部１１１の上面において、その左右両端部に基体部１１１と幅が同じ（規定幅Ｗ１）で短尺な一組の上面構成体１１３，１１３を貼り合わせた構成を有する。
【００２９】
具体的には、各上面構成体１１３，１１３の長さＬ１１は、地上子１３を間に配したときの全体の長さが合成まくらぎ一体型地上子１の規定長さＬ１（つまり基体部１１１の長さ）と一致するように規定される。また、各上面構成体１１３，１１３の厚さＴ１１は、地上子１３と同じ厚さＴに規定される。そして、基体部１１１と上面構成体１１３，１１３とが重なる部分の厚さがまくらぎの規定厚さＴ１となるように、基体部１１１の厚さが規定される。
【００３０】
したがって、合成まくらぎ一体型地上子１は、その上部において一組の上面構成体１１３，１１３の間である凹部１２に地上子１３が取り付けられた状態で、合成まくらぎ部１１の上面（上面構成体１１３，１１３の上面）と地上子１３の上面との境界が無段差状に構成される。また、本実施形態では、側面についても同様に、合成まくらぎ部１１の側面（基体部１１１および上面構成体１１３，１１３の側面）と地上子１３の側面との境界が無段差状に構成される。
【００３１】
この合成まくらぎ一体型地上子１の製造方法は先ず、基体部１１１の上面両端側に上面構成体１１３，１１３を接着剤で接着して固定し、上部が凹部形状を成す合成まくらぎ部１１を作製する。続いて、当該凹部形状部分（凹部１２）に接着剤を塗布し、地上子１３を載置して取り付け、固定する。
【００３２】
以上説明したように、本実施形態の合成まくらぎ一体型地上子１によれば、合成まくらぎと一体の地上子を実現できる。これによれば、施工上や保守面での取り扱いが容易な地上子を提供できる。
【００３３】
例えば、従来の地上子は、専用の取り付け金具にボルトで固定する等して、取り付け金具を介してまくらぎや道床上等に設置していた。これに対し、本実施形態の合成まくらぎ一体型地上子１をまくらぎ（合成まくらぎ）として使用することで、地上子１３を軌道上に設置できる。したがって、まくらぎの設置と同時に地上子１３の設置が完了し、地上子１３を別途設置する手間が不要となり、地上子１３の設置コストを削減できる。また、既設のまくらぎを合成まくらぎ一体型地上子１と交換する場合であっても、合成まくらぎ一体型地上子１のサイズが既設のまくらぎと同じサイズであるため、既設のまくらぎの周囲のバラストで象られた凹部形状をそのまま活かして合成まくらぎ一体型地上子１を設置することができるため、バラストの撤去や転圧等にかかる手間を軽減して交換を容易に行うことができる。
【００３４】
また、地上子１３内のコイルを導体パターンの印刷による基板部１３１として構成することにより、地上子１３の製造バラツキを抑えて、高品質かつ高寿命な地上子を実現することができる。その上、地上子１３の設置に際して取り付け金具が不要な貼付式となるため、地上子１３をボルトで固定する必要がなく、地上子１３を最大限薄型化でき、また重量軽減を実現できる。特に、本実施形態では、地上子１３の厚さを３ｃｍ以下にすることができる。また、合成まくらぎ用材料で形成された合成まくらぎ部自体も軽いため、全体の軽量化を図ることができる。
【００３５】
また、地上子１３は、少なくともそのレール３，３の方向に沿う長さ（幅）Ｗを合成まくらぎ部１１以下の大きさとすることができる。本実施形態では、合成まくらぎ部１１の上部に地上子１３とサイズを合わせた凹部１２を設け、そこに地上子１３を取り付けることで、合成まくらぎ部１１と地上子１３との境界を無段差状に構成できる。これによれば、合成まくらぎ一体型地上子１の外面に地上子１３が存在することによる凹凸が存在しないため、保線作業の際の作業員の転倒を防止して安全性を確保でき、保守面での取り扱いの容易性を高めることが可能となる。
【００３６】
また、変周式又は共振式の地上子は、車上子からの電磁波と電磁結合するためのコイルを備えた簡単な構成を有し、故障が発生し難いため交換寿命が長い。特に、本実施形態では、地上子１３は、少なくとも３０年の設計寿命を有するように設計される。一方で、合成まくらぎ部１１を形成する合成まくらぎ用材料は耐久性に優れ、その交換寿命は数十年以上と長い。したがって、本実施形態の合成まくらぎ一体型地上子１によれば、合成まくらぎ部１１の劣化および地上子１３の故障の何れか一方の不具合が生じて全体の交換が必要になる事態が発生し難く、長期に亘りメンテナンスを必要とせずに使用することができる。
【００３７】
また、合成まくらぎ部１１に地上子１３を取り付けてこれらを一体にしたことで、まくらぎの管理と地上子の管理とを別々に行う必要がなくなり、管理対象の設備点数を削減したり、管理の手間を省略化するといったことが可能となる。
【符号の説明】
【００３８】
１  合成まくらぎ一体型地上子、１１  合成まくらぎ部、１１１  基体部，１１３  上面構成体、１２  凹部、１３  地上子、１３１  基板部、３  レール
【図１】
2018167616.tif 000003
【図２】
2018167616.tif 000004
【図３】
2018167616.tif 000005